(57)【要約】【課題】本発明は、ＷＤＭ−ＰＯＮにおける無線及び有線（光）における共通の高速通信技術を確立することで、ＯＮＵのコスト低減をはかり、ブロードバンド・ユビキタスネットワークを経済的に実現することを目的とする。【解決手段】本願発明の有線のカラーレスＯＮＵ１０１及び無線のカラーレスＯＮＵ１０２は、ミリ波帯の周波数で変調された下り信号光を電気信号に変換するＯ／Ｅ１３と、Ｏ／Ｅ１３からの電気信号をベースバンド信号に変換して下り信号を復調するとともに、上り信号で変調された上り信号光を送信する共通回路１２と、外部端子から入力された下り信号光を分波してＯ／Ｅ１３に出力するとともに、共通回路１２から入力された上り信号光を外部端子から出力するＭＵＸ／ＤＭＸ１５と、を備える。【選択図】図１
2014014027.tif 000002
【特許請求の範囲】
【請求項１】
ミリ波帯の周波数で変調された下り信号光を電気信号に変換する光電気変換回路と、
前記光電気変換回路からの電気信号をベースバンド信号に変換して下り信号を復調するとともに、上り信号で変調された上り信号光を送信する共通回路と、
外部端子から入力された下り信号光を分波して前記光電気変換回路に出力するとともに、前記共通回路から入力された上り信号光を前記外部端子から出力する波長多重分離回路と、
を備える光送受信装置。
【請求項２】
前記光電気変換回路からの電気信号を無線信号に変換して送信するとともに、無線信号を受信するアンテナをさらに備え、
前記共通回路は、前記アンテナの受信する無線信号をベースバンド信号に変換して下り信号を復調する
ことを特徴とする請求項１に記載の光送受信装置。
【請求項３】
前記共通回路は、
２以上の波長の連続光を出力する光周波数コム発生回路と、
前記光周波数コム発生回路からの連続光を波長ごとに分離する波長分離回路と、
前記波長分離回路で分離された光の少なくとも１つを上り信号で変調して上り信号光を生成する光変調回路と、
前記光変調回路からの上り信号光と前記波長分離回路で分離された光の１つを合波する波長合波回路と、
前記波長分離回路で分離された光の２つを合波して、前記光電気変換回路からの電気信号をベースバンド信号に変換可能な周波数を有するローカル光を生成するローカル光生成回路と、
前記ローカル光生成回路からのローカル光を用いて、前記光電気変換回路からの電気信号をベースバンド信号に変換するベースバンド変換回路と、
前記ベースバンド変換回路からのベースバンド信号を復調する信号処理回路と、
を備えることを特徴とする請求項１に記載の光送受信装置。
【請求項４】
前記光電気変換回路からの電気信号を無線信号に変換して送信するとともに、無線信号を受信するアンテナをさらに備え、
前記ローカル光生成回路は、さらに、前記波長分離回路で分離された光の２つを合波して、前記アンテナの受信する無線信号をベースバンド信号に変換可能な周波数を有するローカル光を生成し、
前記ベースバンド変換回路は、さらに、前記アンテナの受信する無線信号をベースバンド信号に変換することを特徴とする請求項３に記載の光送受信装置。
【発明の詳細な説明】
【技術分野】
【０００１】
本発明は、ブロードバンドアクセスシステムにおける光及び無線の送受信技術に関するものである。
【背景技術】
【０００２】
光アクセスシステムの高速化は著しく、この５年程度の間に、１００倍の高速・広帯域化が進み、ギガクラスのブロードバンドサービスが、ＧＥ−ＰＯＮ（Ｇｉｇａｂｉｔ  Ｅｔｈｅｒｎｅｔ（登録商標）−Ｐａｓｓｉｖｅ  Ｏｐｔｉｃａｌ  Ｎｅｔｗｏｒｋ）システムの商用導入で経済的に提供されている。２００９年には、１０ＧＥ−ＰＯＮの標準化が完了し、現在、１０Ｇを超える高速化・広帯域化に向けた次世代ＰＯＮがＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）やＦＳＡＮ（Ｆｕｌｌ  Ｓｅｒｖｉｃｅ  Ａｃｃｅｓｓ  Ｎｅｔｗｏｒｋ）等の標準化団体で議論されている。一方、無線の高速化に関しても、ＩＥＥＥ８０２．１１ｎ規格で、１００Ｍｂｐｓを超える無線ＬＡＮが実現されている。また、第三世代の携帯電話では、下り７．２ＭｂｐｓのＨＳＤＰＡ（Ｈｉｇｈ  Ｓｐｅｅｄ  Ｄｏｗｎｌｉｎｋ  Ｐａｃｋｅｔ  Ａｃｃｅｓｓ）サービスが、２０１０年末には、１０Ｍｂｐｓを超えるＬＴＥ（Ｌｏｎｇ  Ｔｅｒｍ  Ｅｖｏｌｕｔｉｏｎ）データ通信サービスが提供されている。さらに、４Ｇに向けた標準化や技術開発が進められており、ギガクラスを超える次世代の高速サービス実現への期待が高まってきている。
【０００３】
今後、タブレットＰＣやスマートフォン等の新たなモバイル端末とクラウドコンピューティングを用いて、時と場所によらず、３Ｄ高精細映像、リッチコンテンツ等の大容量情報にストレスなくアクセスするには、無線と有線（光）を活用したギガクラスを超えるブロードバンド・ユビキタスネットワークが重要な役割を担うこととなると予想される。
【０００４】
１０Ｇを超える高速化・広帯域化に向けた次世代ＰＯＮ技術のアプローチとしては、これまでの延長技術である時間軸上でユーザ多重を行う時間多重（ＴＤＭ：Ｔｉｍｅ  Ｄｉｖｉｓｉｏｎ  Ｍｕｌｔｉｐｌｅｘｉｎｇ）方式と波長軸上でユーザ多重を行う波長多重（ＷＤＭ：Ｗａｖｅｌｅｎｇｔｈ  Ｄｉｖｉｓｉｏｎ  Ｍｕｌｔｉｐｌｅｘｉｎｇ）方式があり、後者をＷＤＭ−ＰＯＮ（Ｗａｖｅｌｅｎｇｔｈ  Ｄｉｖｉｓｉｏｎ  Ｍｕｌｔｉｐｌｅｘｉｎｇ−Ｐａｓｓｉｖｅ  Ｏｐｔｉｃａｌ  Ｎｅｔｗｏｒｋ）と呼んでいる。
【０００５】
図８及び図９は、ＷＤＭ−ＰＯＮの構成図である。図８及び図９は、それぞれ、複数のＯＮＵ（Ｏｐｔｉｃａｌ  Ｎｅｔｗｏｒｋ  Ｕｎｉｔ）９１とＯＬＴ（Ｏｐｔｉｃａｌ  Ｌｉｎｅ  Ｔｅｒｍｉｎａｌ）９２を接続するスプリッタが、波長スプリッタ９３及びパワースプリッタ９４である場合を表している。ＯＮＵ９１は、ＵＮＩ（Ｕｓｅｒ  Ｎｅｔｗｏｒｋ  Ｉｎｔｅｒｆａｃｅ）からの信号を送信するＴｘ（Ｔｒａｎｓｍｉｔｔｅｒ）８２と、ＯＬＴ９２からの信号を受信するＲｘ（Ｒｅｃｅｉｖｅｒ）８３と、上り下り信号用の波長多重分離回路として機能するＭＵＸ／ＤＭＸ（Ｍｕｌｔｉｐｌｅｘｅｒ／Ｄｅｍｕｌｔｉｐｌｅｘｅｒ）８１と、を備える。ＯＬＴ９２は、ＳＮＩ（Ｓｅｒｖｉｃｅ  Ｎｏｄｅ  Ｉｎｔｅｒｆａｃｅ）からの信号を送信するＴｘ８２と、ＯＮＵ９１からの信号を受信するＲｘ８３と、上り下り信号用の波長多重分離回路として機能するＭＵＸ／ＤＭＸ８１に加え、複数の異なる波長の上り信号用の波長多重分離回路として機能するＭＵＸ／ＤＭＸ８４Ｔと、複数の異なる波長の下り信号用の波長多重分離回路として機能するＭＵＸ／ＤＭＸ８４Ｒと、を備える。
【０００６】
ＷＤＭ−ＰＯＮの物理的なトポロジーはパッシブダブルスターであるため、伝送路である光ファイバを複数ユーザで共用しているが、ユーザごとに異なる波長を割り当てているため、論理的なトポロジーはシングルスターとなっている。このため、伝送路をユーザで共用しながら、他のユーザに影響を与えることなく、ユーザごとに独立にサービスを設定し変更することができる。このため、無線と有線のサービスを波長毎に設定することができ、上述した無線と有線（光）を活用したギガクラスを超えるブロードバンド・ユビキタスネットワークを構築する有望な技術として注目されている。
【０００７】
ＷＤＭ−ＰＯＮでは、各ＯＮＵに波長が固定的に割り当てられるため、ユーザごとに送信波長の異なるＯＮＵを用意しなければならず、ユーザの利便性や保守運用性に欠けることになる。このため、波長を意識することなく「使いやすい」ＯＮＵを実現するには、ＯＮＵを単一品種化し、ＯＬＴ側からＯＮＵの送信波長を設定できるようにする必要があり、このような機能を実現する技術をＯＮＵのカラーレス技術と呼んでいる。
【０００８】
カラーレス技術は、自発光方式と波長供給方式に大別でき（例えば、非特許文献１参照。）、前者は、図１０に示すように、ＯＮＵ９１自身に波長選択性をもつ光源等が搭載されており、各ＯＮＵ９１の送信波長は、開通時にＯＬＴ９２側から設定する。後者は、図１１に示すように、ＯＮＵ９１に光変調器と光増幅器が搭載されており、ＯＬＴ９２側の光源から各ＯＮＵに供給される連続光を変調することで、上り信号光を作り出している。
【０００９】
これまで、無線と有線（光）は、それぞれ独立にブロードバンド技術が進展してきたが、ＷＤＭ−ＰＯＮにおいて、無線及び有線（光）における共通の高速通信技術を開発し、併せて、ＯＮＵのカラーレス技術を実現することで、量産効果を出すことで、ブロードバンド・ユビキタスネットワークを経済的に実現することが可能となる。本発明では、自発光方式における、無線と有線（光）の共通の高速通信技術を提案する。
【００１０】
無線と有線（光）の融合技術として、これまでに以下の提案がなされている。
図１２は、１２５ＧＨｚ帯の無線を用いた１０Ｇｂｐｓ伝送の構成図である（例えば、非特許文献２参照。）。１２５ＧＨｚの無線周波数は、光周波数コム発生回路（Ｏｐｔｉｃａｌ  ＭＭＷ  ｓｉｇｎａｌ  ｇｅｎｅｒａｔｏｒ）７１から光周波数の異なる２つの連続光を光フィルタで抜き出し、そのビート信号として発生させている。
図１３は、ＯＡＤＭ（Ｏｐｔｉｃａｌ  Ａｄｄ−Ｄｒｏｐ  Ｍｕｌｔｉｐｌｅｘｅｒ）にＲｏＦ（Ｒａｄｉｏ  ｏｎ  Ｆｉｂｅｒ）技術を適用した例である（例えば、非特許文献３参照。）。ＷＤＭ光源である各ＬＤからの光をそれぞれ異なるミリ波帯のＲＦ周波数ｆ１〜ｆＮで直接変調して連続光にＦＭ変調を施し、外部変調により各連続光にｄａｔａ１〜ｄａｔａＮの信号を重畳した後、ＷＤＭフィルタで合波し、マッハツエンダフィルタでＦＭ−ＩＭ変換し、ＯＡＤＭリングネットワークを用いて、波長毎に設定されたノードに伝送する。ＰＤ（Ｐｈｏｔｏ  Ｄｉｏｄｅ）で受光後、ＩＭ変換されたＲＦ周波数成分の各ビート信号から、所望のビート周波数をＢＰＦ（Ｂａｎｄ−ｐａｓｓ  Ｆｉｌｔｅｒ）で抜き出し、無線信号として送信している。
【先行技術文献】
【非特許文献】
【００１１】
【非特許文献１】Ｋ．  Ｉｗａｔｓｕｋｉ，  Ｊ．  Ｋａｎｉ，  Ｈ．  Ｓｕｚｕｋｉ，  ａｎｄ  Ｍ．  Ｆｕｊｉｗａｒａ，  “Ａｃｃｅｓｓ  ａｎｄ  Ｍｅｔｒｏ  Ｎｅｔｗｏｒｋｓ  ｂａｓｅｄ  ｏｎ  ＷＤＭ  Ｔｅｃｈｎｏｌｏｇｉｅｓ”，  ＩＥＥＥ  Ｊ．  Ｌｉｇｈｔｗａｖｅ  Ｔｅｃｈｎｏｌ．，  Ｖｏｌ．２２，  Ｎｏ．１１，  ｐｐ．２６２３−２６３０  （２００４）
【非特許文献２】Ａ．  Ｈｉｒａｔａ，  ｅｔ．ａｌ，  “１２０−ＧＨｚ−Ｂａｎｄ  Ｍｉｌｌｉｍｅｔｅｒ−Ｗａｖｅ  Ｐｈｏｔｏｎｉｃ  Ｗｉｒｅｌｅｓｓ  Ｌｉｎｋ  ｆｏｒ  １０−Ｇｂ／ｓ  Ｄａｔａ  Ｔｒａｎｓｍｉｓｓｉｏｎ”，  ＩＥＥＥ  Ｔｒａｎｓ．  Ｍｉｃｒｏｗａｖｅ  Ｔｈｅｏｒｙ  ａｎｄ  Ｔｅｃｈ．，  Ｖｏｌ．５４，  Ｎｏ．５，  ｐｐ．１９３７−１９４４  （２００６）
【非特許文献３】Ａ．Ｍ．Ｊ．  Ｋｏｏｎｅｎ，  ｅｔ  ａｌ．，  “Ｐｅｒｓｐｅｃｔｉｖｅｓ  ｏｆ  Ｒａｄｉｏ  ｏｖｅｒ  Ｆｉｂｅｒ  Ｔｅｃｈｎｏｌｏｇｉｅｓ”，  ＯＦＣ／ＮＦＯＥＣ  ２００８，  ＯＴｈＰ３  （２００８）
【非特許文献４】Ｍ．  Ｆｕｊｉｗａｒａ，  ｅｔ  ａｌ，  “Ｏｐｔｉｃａｌ  ｃａｒｒｉｅｒ  ｓｕｐｐｌｙ  ｍｏｄｕｌｅ  ｕｓｉｎｇ  ｆｌａｔｔｅｎｅｄ  ｏｐｔｉｃａｌ  ｍｕｌｔｉｃａｒｒｉｅｒ  ｇｅｎｅｒａｔｉｏｎ  ｂａｓｅｄ  ｏｎ  ｓｉｎｕｓｏｉｄａｌ  ａｍｐｌｉｔｕｄｅ  ａｎｄ  ｐｈａｓｅ  ｈｙｂｒｉｄ  ｍｏｄｕｌａｔｉｏｎ”，  ＩＥＥＥ．  Ｊ．  Ｌｉｇｈｔｗａｖｅ  Ｔｅｃｈｎｏｌ．，  Ｖｏｌ．２１，  Ｎｏ．１１，  ｐｐ  ２７０５−２７１４  （２００３）
【非特許文献５】Ｔ．  Ｎａｇａｔｓｕｍａ，  “Ｃｏｎｔｉｎｕｏｕｓ−ｗａｖｅ  ｔｅｒａｈｅｒｔｚ  ｓｐｅｃｔｒｏｓｃｏｐｙ  ｓｙｓｔｅｍ  ｂａｓｅｄ  ｏｎ  ｐｈｏｔｏｄｉｏｄｅｓ”，  ＰＩＥＲＳ  Ｏｎｌｉｎｅ，  Ｖｏｌ．  ６，  Ｎｏ．  ４，  ｐｐ．３９０−３９４  （２０１０）
【発明の概要】
【発明が解決しようとする課題】
【００１２】
図１２及び図１３に示すように、無線と有線（光）でそれぞれ構成が異なるため、無線及び有線（光）を収容した場合のＷＤＭ−ＰＯＮにおいては、無線であるか有線（光）であるかによってＯＮＵの仕様が異なる。このため、無線及び有線（光）を収容した場合のＷＤＭ−ＰＯＮに用いられるＯＮＵは、量産化による経済化が困難であった。
【００１３】
そこで、本発明は、ＷＤＭ−ＰＯＮにおける無線及び有線（光）における共通の高速通信技術を確立することで、ＯＮＵのコスト低減をはかり、ブロードバンド・ユビキタスネットワークを経済的に実現することを目的とする。
【課題を解決するための手段】
【００１４】
本願発明の光送受信装置は、ミリ波帯の周波数で変調された下り信号光を電気信号に変換する光電気変換回路と、前記光電気変換回路からの電気信号をベースバンド信号に変換して下り信号を復調するとともに、上り信号で変調された上り信号光を送信する共通回路と、外部端子から入力された下り信号光を分波して前記光電気変換回路に出力するとともに、前記共通回路から入力された上り信号光を前記外部端子から出力する波長多重分離回路と、を備える。
【００１５】
本願発明の光送受信装置では、前記光電気変換回路からの電気信号を無線信号に変換して送信するとともに、無線信号を受信するアンテナをさらに備え、前記共通回路は、前記アンテナの受信する無線信号をベースバンド信号に変換して下り信号を復調してもよい。
【００１６】
本願発明の光送受信装置では、前記共通回路は、２以上の波長の連続光を出力する光周波数コム発生回路と、前記光周波数コム発生回路からの連続光を波長ごとに分離する波長分離回路と、前記波長分離回路で分離された光の少なくとも１つを上り信号で変調して上り信号光を生成する光変調回路と、前記光変調回路からの上り信号光と前記波長分離回路で分離された光の１つを合波する波長合波回路と、前記波長分離回路で分離された光の２つを合波して、前記光電気変換回路からの電気信号をベースバンド信号に変換可能な周波数を有するローカル光を生成するローカル光生成回路と、前記ローカル光生成回路からのローカル光を用いて、前記光電気変換回路からの電気信号をベースバンド信号に変換するベースバンド変換回路と、前記ベースバンド変換回路からのベースバンド信号を復調する信号処理回路と、を備えていてもよい。
【００１７】
本願発明の光送受信装置では、前記光電気変換回路からの電気信号を無線信号に変換して送信するとともに、無線信号を受信するアンテナをさらに備え、前記ローカル光生成回路は、さらに、前記波長分離回路で分離された光の２つを合波して、前記アンテナの受信する無線信号をベースバンド信号に変換可能な周波数を有するローカル光を生成し、前記ベースバンド変換回路は、さらに、前記アンテナの受信する無線信号をベースバンド信号に変換してもよい。
【発明の効果】
【００１８】
本発明によれば、本発明は、ＷＤＭ−ＰＯＮにおける無線及び有線（光）における共通の高速通信技術を確立することで、ＯＮＵのコスト低減をはかり、ブロードバンド・ユビキタスネットワークを経済的に実現することができる。
【図面の簡単な説明】
【００１９】
【図１】本実施形態における無線と有線（光）を収容したＷＤＭ−ＰＯＮの構成の一例を示す。
【図２】ＷＤＭ−ＰＯＮの共通部分の第１例を示す。
【図３】共通回路における信号の一例を示す。
【図４】ＷＤＭ−ＰＯＮの共通部分の第２例を示す。
【図５】波長配置の一例を示す。
【図６】ベースバンド変換回路の第１例を示す。
【図７】ベースバンド変換回路の第２例を示す。
【図８】ＷＤＭ−ＰＯＮの構成の第１例を示す。
【図９】ＷＤＭ−ＰＯＮの構成の第２例を示す。
【図１０】カラーレスＯＮＵを用いたＷＤＭ−ＰＯＮの第１例を示す。
【図１１】カラーレスＯＮＵを用いたＷＤＭ−ＰＯＮの第２例を示す。
【図１２】１２５ＧＨｚ帯無線での１０Ｇｂｐｓ伝送の一例を示す。
【図１３】ＲｏＦを用いたアクセスネットワークの一例を示す。
【発明を実施するための形態】
【００２０】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００２１】
本実施形態に係る通信システムは、ＯＬＴ、ＯＮＵに搭載された光トランシーバの光送信部が、光周波数コム（例えば、非特許文献４参照。）から発生させた複数の光キャリアの一部を各々変調してＲＦ信号を生成し、これらを波長多重化して送信する。一方、ＯＬＴ、ＯＮＵに搭載された光トランシーバの光受信部が、光周波数コムから発生させた複数の光キャリアから任意の２つの光キャリアを選択し、これを合波して得られたビート信号を用いて、送信されたＲＦ信号をベースバンド信号に変換し、これをディジタル信号処理することで復調する。
【００２２】
図１は、本実施形態に係る光送受信装置を備えるＷＤＭ−ＰＯＮの構成図である。ＯＮＵ１０１は有線のカラーレスＯＮＵであり、ＯＮＵ１０２は無線のカラーレスＯＮＵである。ＯＬＴ１０３、ＯＮＵ１０１、ＯＮＵ１０２は共通回路１２を備える。このように、ＯＬＴ１０３、ＯＮＵ１０１及びＯＮＵ１０２が共通部分（図２で詳細を後述）を備えるため、本実施形態に係る通信システムは部品を共通化することができる。
【００２３】
有線のカラーレスＯＮＵ１０１及び無線のカラーレスＯＮＵ１０２は、光電気変換器であるＯ／Ｅ１３と、複数の異なる波長の上りあるいは下り信号用の波長多重分離回路であるＭＵＸ／ＤＭＸ１５と、波長可変フィルタ１４（所外に配置するスプリッタが波長スプリッタである場合は不要）と、並列直列変換回路であるＳ／Ｐ１１と、を備える。無線のカラーレスＯＮＵ１０２は、これらに加えてアンテナ１７を備える。ＭＵＸ／ＤＭＸ１５の外部端子にスプリッタ１０４からの下り信号光が入力され、ＭＵＸ／ＤＭＸ１５の外部端子から上り信号光がスプリッタ１０４に向けて出力される。本構成では、無線と有線（光）で異なる部分は、アンテナ１７の有無のみであり、無線と有線（光）で共通した光送受信器を用いることができ、量産化による経済化が可能となる。
【００２４】
図２は、共通回路１２の構成の一例である。共通回路１２は、光周波数コム発生回路４１と、光フィルタとしてのＡＷＧ（Ａｒｒａｙｅｄ  Ｗａｖｅｇｕｉｄｅ  Ｇｒａｔｉｎｇ）４２と、光変調回路４３と、光合波回路４４と、ローカル光発生回路としての光合波回路４５と、ベースバンド変換回路４６と、信号処理回路４７と、を備える。
【００２５】
送信部分については、光周波数コム発生回路４１（例えば、非特許文献４参照。）で発生した光キャリア（図３（ａ）を参照）のなかから、複数の光キャリアと１つの光キャリアをＡＷＧ４２で抜き出し、前者を光変調回路４３で各々変調し、変調された複数の光キャリアと１つの光キャリアを光合波回路４４で合波し、上り信号光を生成する（図３（ｂ）を参照）。
【００２６】
光キャリアの周波数間隔ｆと光変調回路４３の変調信号のシンボルレートを等しく設定することで、上り信号光としてＯＦＤＭ信号を作り出すことができる。一方、光キャリアの周波数間隔ｆよりも光変調回路４３の変調信号のシンボルレートが小さい場合は、上り信号光はＷＤＭ信号となる。その場合の共通回路１２の構成を図４に示す。
【００２７】
伝送用の光ファイバから、ＭＵＸ／ＤＭＸ１５や波長可変フィルタ１４（ＯＮＵの場合）を通して導かれた下り信号光は、Ｏ／Ｅ１３により光ＯＦＤＭ信号をＲＦのＯＦＤＭ信号に変換された後、有線のカラーレスＯＮＵ１０１の場合は共通回路１２に導かれる。ここで、Ｏ／Ｅ１３は、例えばＵＴＣ−ＰＤ（Ｕｎｉ−Ｔｒａｖｅｌｉｎｇ−Ｃａｒｒｉｅｒ  Ｐｈｏｔｏｄｉｏｄｅ）である。無線のカラーレスＯＮＵ１０２の場合は、このＲＦのＯＦＤＭ信号をアンテナ１７に導き、空間に伝送する。アンテナ１７で受信されたＲＦのＯＦＤＭ信号は共通回路１２に導かれる。
【００２８】
共通回路１２に導かれたＲＦのＯＦＤＭ信号は、ベースバンド変換回路４６に導かれ、有線の場合、Ｓ／Ｐ１１を通じて出力される。無線の場合、Ｓ／Ｐ１１の出力と入力を直結し、共通回路１２に入力される。
【００２９】
ベースバンド変換回路４６には、光周波数コム発生回路４１から発生した光キャリア（周波数間隔ｆ）から周波数がｍｆ（ｍは正数）離れた２つの光キャリア（図３（ｃ））を合波して得られる周波数ｍｆの光ビート信号をローカル信号ＬＯとして用いることで、ＲＦのＯＦＤＭ信号をベースバンドＯＦＤＭ信号にビートダウンし、これを信号処理回路４７において離散フーリエ変換（ＤＦＴ：Ｄｉｓｃｒｅｔｅ  Ｆｏｕｒｉｅｒ  Ｔｒａｎｓｆｏｒｍ）によりディジタル信号処理することで復調する。
【００３０】
図５は、ＷＤＭ−ＰＯＮの上り信号光と下り信号光の波長配置の一例を示す。光周波数コム発生回路４１の種光源を波長可変光源とすることで、共通回路１２をカラーレスにして、ＭＵＸ／ＤＭＸ１５にて上り信号光と下り信号光とを分離可能な波長配置を実現する。
【００３１】
図６は、ベースバンド変換回路４６の構成例である。図６では、ローカル信号光ＬＯである光ビート信号を光電気変換器であるＰＤ（Ｐｈｏｔｏ  Ｄｉｏｄｅ）で周波数ｍｆのビート信号に変換後、ミキサ４６２を用いてＲＦのＯＦＤＭ信号をベースバンドＯＦＤＭ信号にビートダウンする。図７では、ＵＴＣ−ＰＤ４６３を用いて、ＰＤ４６１とミキサ４６２の機能を同時に実現する（例えば、非特許文献５参照。）ことで、ベースバンドＯＦＤＭ信号を得ることができる。
【産業上の利用可能性】
【００３２】
本発明は、情報通信産業に適用することができる。
【符号の説明】
【００３３】
１１：Ｓ／Ｐ
１２：共通回路
１３：Ｏ／Ｅ
１４：波長可変フィルタ
１５、１５Ｔ、１５Ｒ：ＭＵＸ／ＤＭＸ
１６：Ｅ／Ｏ
１７：アンテナ
４１：光周波数コム発生回路
４２、４８：ＡＷＧ
４３：光変調回路
４４、４５：光カプラ
４６：ベースバンド変換回路
４６１：ＰＤ
４６２：ミキサ
４６３：ＵＴＣ−ＰＤ
４７：ディジタル信号処理回路
６１：ＬＤ
６２：光変調器
６３：波長多重化装置
６４：ＯＡＤＭ制御部
６５：ＭＺＩ（Ｍａｃｈ−Ｚｅｈｎｄｅｒ  ｉｎｔｅｒｆｅｒｏｍｅｔｅｒ）
６６：ＯＡＤＭ（Ｏｐｔｉｃａｌ  ａｄｄ−ｄｒｏｐ  ｍｕｌｔｉｐｌｅｘｅｒ）
６７：ＰＤ（Ｐｈｏｔｏ  Ｄｉｏｄｅ）
６８：ＢＰＦ
６９：増幅器
７１：光周波数コム
７２：ベースバンド増幅器
７３：光変調回路
７４：ＰＤ付増幅回路
７５、７６：アンテナ
７７：受信回路
７８：ベースバンド増幅器
８１、８４、８４Ｒ、８４Ｔ：ＭＵＸ／ＤＭＸ
８２：Ｔｘ
８３：Ｒｘ
８５：Ｔｘ／Ｒｘ
８６：光源
８８：Ｅ／Ｏ
９１：ＯＮＵ
９２：ＯＬＴ
９３：波長スプリッタ
９４：パワースプリッタ
９５：ＯＬＴ
１０１：カラーレスＯＮＵ（有線）
１０２：カラーレスＯＮＵ（無線）
１０３：ＯＬＴ
１０４：スプリッタ
【図１】
2014014027.tif 000003
【図２】
2014014027.tif 000004
【図３】
2014014027.tif 000005
【図４】
2014014027.tif 000006
【図５】
2014014027.tif 000007
【図６】
2014014027.tif 000008
【図７】
2014014027.tif 000009
【図８】
2014014027.tif 000010
【図９】
2014014027.tif 000011
【図１０】
2014014027.tif 000012
【図１１】
2014014027.tif 000013
【図１２】
2014014027.tif 000014
【図１３】
2014014027.tif 000015